(57)【要約】【課題】  部品点数を削減することができるとともに、作業の簡略化を実現して作業時間の短縮を図ることができるスイッチ固定構造を提供する。【解決手段】  本発明は、車両のドアを開閉可能なドアハンドル９と、支持軸１５を介してドアハンドル９を車両のドア３に対して前後方向に揺動可能に支持する取付ブラケット１１と、ドアハンドル９と取付ブラケット１１との間に設けられ、車両のドアに設けられるドアロックを施錠・解錠させる信号を形成するスイッチユニット１３とを備え、スイッチユニット１３には、支持軸１５が接する接触部（嵌合溝２７）が形成され、支持軸１５が、ハンドル軸挿通孔９ｂ及びブラケット軸挿通孔１１ａを挿通し、嵌合溝２７で嵌合することによりスイッチユニットを取付ブラケットに固定することを特徴とする。【選択図】    図２
2008248677.tif 000002
【特許請求の範囲】
【請求項１】
車両のドアの車外側に設けられ、かつ、裏面側に支持軸が挿通する孔であるハンドル軸挿通孔が形成され、前記車両のドアを開閉可能なドアハンドルと、
前記車両のドアに固定され、かつ、前記支持軸が挿通する孔であるブラケット軸挿通孔が形成され、前記支持軸を介して前記ドアハンドルを前記車両のドアに対して前後方向に揺動可能に支持する取付ブラケットと、
前記ドアハンドルと前記取付ブラケットとの間に設けられ、前記車両のドアに設けられるドアロックを施錠・解錠させる信号を形成するスイッチユニットとを備え、
前記スイッチユニットには、前記支持軸が接する接触部が形成され、
前記支持軸は、前記ハンドル軸挿通孔及び前記ブラケット軸挿通孔を挿通し、前記接触部において前記スイッチユニットを前記取付ブラケットに固定することを特徴とするスイッチ固定構造。
【請求項２】
前記スイッチユニットは、車外に露出して車外側からの物理的な入力を受けて変位するプッシュボタンと、前記プッシュボタンの変位に基づいて電気的な信号を形成するスイッチ本体とを備え、
前記接触部は、前記スイッチ本体の側面に設けられ、かつ、前記支持軸が嵌合する嵌合溝であり、
前記支持軸は、前記嵌合溝に嵌合することで前記スイッチユニットを前記取付ブラケットに固定することを特徴とする請求項１に記載のスイッチ固定構造。
【請求項３】
前記嵌合溝は、前記スイッチ本体の両側面に設けられ、
前記支持軸は、一方の嵌合溝に嵌合する第１支持軸と、他方の嵌合溝に嵌合する第２支持軸とを備えることを特徴とする請求項２に記載のスイッチ固定構造。
【請求項４】
前記スイッチユニットは、車外に露出して車外側からの物理的な入力を受けて変位するプッシュボタンと、前記プッシュボタンの変位に基づいて電気的な信号を形成するスイッチ本体とを備え、
前記接触部は、前記スイッチ本体における一方の側面から他方の側面に亘って前記支持軸が貫通する貫通孔であり、
前記支持軸は、前記貫通孔を貫通することで前記スイッチユニットを前記取付ブラケットに固定することを特徴とする請求項１に記載のスイッチ固定構造。
【請求項５】
前記スイッチユニットは、取付ブラケットに開設され、前端部に抜け止め用の内向きフランジを備えたスイッチ保持孔内に挿入され、ドアへの固定状態において背面部がドア表面に支承されて固定される請求項１記載のスイッチ固定構造。
【請求項６】
前記スイッチ保持孔には、スイッチユニットの背面壁に沿い、ドアへの固定状態においてドア表面に支承される支承片からスイッチ保持孔内部に挿入されるヒンジ片を突設した軸止め部材が仮止めされ、
前記支持軸は、該支持軸に形成された抜け止め用スリットに前記軸止め部材のヒンジ片を挿入して抜け止めされる請求項５記載のスイッチ固定構造。
【請求項７】
車両のドアに固定される取付ブラケットと、
取付ブラケットに回転自在に連結されるドアハンドルとを有し、ドアへの固定状態において取付ブラケットがドアハンドル背後に覆い隠される車両のドアハンドル装置であって、
前記ドアハンドルには、取付ブラケットに保持され、前記車両のドアに設けられるドアロックを施錠・解錠させる信号を形成するスイッチユニットの操作部を外部に露出させるスイッチ露出開口が開設されるドアハンドル装置。
【請求項８】
前記ドアハンドルは、取付ブラケットの上端縁近傍において垂直回転自在に取付ブラケットに連結されるとともに、
スイッチ露出開口は、初期回転位置での正面視においてドアハンドルの回転中心線にほぼ重合する位置に配置される請求項７記載のドアハンドル装置。
【請求項９】
前記スイッチ露出開口は、ドアハンドルの長手方向ほぼ中心位置に配置される請求項７または８記載のドアハンドル装置。
【発明の詳細な説明】
【技術分野】
【０００１】
本発明は、スイッチ固定構造に関し、特に、ドアハンドルと取付ブラケットとの間にスイッチユニットを固定するスイッチ固定構造に関する。
【背景技術】
【０００２】
従来から、車両のドアの車外側に設けられるドアハンドルの所定箇所に位置する押しボタン式のプッシュボタンを操作することによって、車両のドアに設けられるドアロックの施錠・解錠を電気的に行う技術が  具体的には、ドアハンドルと取付ブラケットとの間に、ドアハンドルに形成されるボタン孔を貫通して、車外に露出して車外側からの物理的入力を受けて変位するプッシュボタンと、該プッシュボタンの変位に基づいて電気的信号を形成するスイッチ本体とを備えるスイッチユニットが配置されている。
【０００３】
このとき、ドアハンドルに形成されるボタン孔と、プッシュボタンの外周とが一致するように、スイッチ本体がねじやボルト等の固定部材により取付ブラケットに固定されている（例えば、特許文献１参照）。これにより、ドアハンドルを車両のドアに対して前方向に引っ張られると車両のドアが開閉可能となり、ドアハンドルを車両のドアに対して後方向（すなわち、ドアハンドルが自動的に戻る位置）へ移動すると、ドアハンドルに形成されるボタン孔を貫通するプッシュボタンが操作可能となる。
【特許文献１】特開２００５−９００８７号公報（第４頁−第７頁、第１図）
【発明の開示】
【発明が解決しようとする課題】
【０００４】
しかしながら、上述した従来のスイッチユニットを取付ブラケットに固定する構造（以下、スイッチ固定構造）では、スイッチユニット（スイッチ本体）が固定部材により取付ブラケットに固定されるため、必ず固定部材が必要であり、部品点数の削減が求められているのが現状である。
【０００５】
また、従来のスイッチ固定構造では、ドアハンドルに形成されるボタン孔にプッシュボタンの外周が一致するように位置決めを行いながら、スイッチユニットを固定部材により取付ブラケットに取り付けなければならず、作業が複雑であるとともに作業時間の短縮が困難であった。
【０００６】
そこで、本発明は、上述の問題を鑑みてなされたものであり、部品点数を削減することができるとともに、作業の簡略化を実現して作業時間の短縮を図ることができるスイッチ固定構造を提供することを目的とする。
【０００７】
また、上述した従来例において、ハンドル装置は、ドアハンドルを保持してドアに固定されるエスカッションがドアハンドルを包囲するように、ドア表面に露出するように形成されており、スイッチユニットは、このエスカッションを取付基部として固定されている。
【０００８】
すなわち、上述した従来例において、ハンドル装置にスイッチユニットを配置するためには、取付基体であるエスカッションの存在を前提とするもので、意匠上等の理由によりドアハンドル周りにエスカッション等を配置することなく、ドアハンドルのみを配置する場合には、ドアに直接固定する必要がある。
【０００９】
しかし、ドアにスイッチユニットを直接固定するには、ドアパネルへの取付孔の開設を要する上に、取付作業性も悪いという欠点がある。
【００１０】
本発明の他の目的は、以上の欠点を解消し、ドア表面に保持基体が露出しない場合においてもスイッチユニットを配置することのできるハンドル装置の提供にある。
【課題を解決するための手段】
【００１１】
上述した課題を解決するため、本発明は、次のような特徴を有している。まず、本発明の第１の特徴に係る発明は、車両のドアの車外側に設けられ、かつ、裏面側に支持軸が挿通する孔であるハンドル軸挿通孔が形成され、車両のドアを開閉可能なドアハンドルと、車両のドアに固定され、かつ、支持軸が挿通する孔であるブラケット軸挿通孔が形成され、支持軸を介してドアハンドルを前記車両のドアに対して前後方向に揺動可能に支持する取付ブラケットと、ドアハンドルと取付ブラケットとの間に設けられ、車両のドアに設けられるドアロックを施錠・解錠させる信号を形成するスイッチユニットとを備え、スイッチユニットには、支持軸が接する接触部が形成され、支持軸は、ハンドル軸挿通孔及びブラケット軸挿通孔を挿通し、接触部においてスイッチユニットを取付ブラケットに固定することを要旨とする。
【００１２】
かかる特徴によれば、支持軸が接触部においてスイッチユニットを取付ブラケットに固定することによって、ねじやボルト等の固定部材を用いることなく、スイッチユニットを取付ブラケットに取り付けることができるため、部品点数を削減することができるとともに、作業の簡略化を実現して作業時間の短縮を図ることができる。
【００１３】
その他の特徴に係る発明は、スイッチユニットが、車外に露出して車外側からの物理的な入力を受けて変位するプッシュボタンと、プッシュボタンの変位に基づいて電気的な信号を形成するスイッチ本体とを備え、接触部が、スイッチ本体の側面に設けられ、かつ、支持軸が嵌合する嵌合溝であり、支持軸が、嵌合溝に嵌合することでスイッチユニットを取付ブラケットに固定することを要旨とする。
【００１４】
かかる特徴によれば、支持軸が嵌合溝に嵌合することでスイッチユニットを取付ブラケットに固定することによって、確実にスイッチユニットを取付ブラケットに取り付けることができ、車両のドアに対する前後方向へのドアハンドルの揺動がスムーズになり、ドアハンドルの操作性を確保することができる。
【００１５】
その他の特徴に係る発明は、嵌合溝が、スイッチ本体の両側面に設けられ、支持軸が、一方の嵌合溝に嵌合する第１支持軸と、他方の嵌合溝に嵌合する第２支持軸とを備えることを要旨とする。
【００１６】
かかる特徴によれば、スイッチ本体の両側面側から第１支持軸と第２支持軸とが各嵌合溝に嵌合することによって、車両のドアに対して前後方向へのドアハンドルの揺動がさらにスムーズになり、ドアハンドルの操作性を向上させることができる。
【００１７】
その他の特徴に係る発明は、スイッチユニットが、車外に露出して車外側からの物理的な入力を受けて変位するプッシュボタンと、プッシュボタンの変位に基づいて電気的な信号を形成するスイッチ本体とを備え、接触部が、スイッチ本体における一方の側面から他方の側面に亘って支持軸が貫通する貫通孔であり、支持軸が、貫通孔を貫通することで前記スイッチユニットを前記取付ブラケットに固定することを要旨とする。
【００１８】
かかる特徴によれば、支持軸が貫通孔を貫通することでスイッチユニットを取付ブラケットに固定することによって、確実にスイッチユニットを取付ブラケットに取り付けることができ、車両のドアに対して前後方向へのドアハンドルの揺動がスムーズになり、ドアハンドルの操作性を確保することができる。
【００１９】
さらに、車両のドアに固定される取付ブラケットと、
取付ブラケットに回転自在に連結されるドアハンドルとを有し、ドアへの固定状態において取付ブラケットがドアハンドル背後に覆い隠される車両のドアハンドル装置であって、
前記ドアハンドルには、取付ブラケットに保持され、前記車両のドアに設けられるドアロックを施錠・解錠させる信号を形成するスイッチユニットの操作部を外部に露出させるスイッチ露出開口が開設されるドアハンドル装置を構成した場合には、ドアハンドルの背後に配置される取付ブラケットをスイッチユニットの取付基体として利用し、ドアハンドルを表示部として利用することができるために、ドアにスイッチユニットを直接固定する必要がなくなるために、取付作業性が良好になる。
【００２０】
ドアハンドルは、ドアへの固定状態において水平回転させるように構成することも可能であるが、操作方向が垂直方向である、いわゆるプルアップ仕様のドアハンドル装置として構成する場合には、スイッチ露出開口を正面視においてドアハンドルの回転中心線に重合する位置に配置することができる。
【００２１】
このように構成することにより、手掛けスペースを広くとることができる上に、ドアハンドルを回転させた際のスイッチユニットの露出を防止することができる。
【００２２】
また、スイッチ露出開口をドアハンドルの長手方向ほぼ中心位置に配置した場合には、意匠的要素による左右勝手違いの発生を防止することができる。
【発明の効果】
【００２３】
本発明によれば、部品点数を削減することができるとともに、作業の簡略化を実現して作業時間の短縮を図ることができるスイッチ固定構造を提供することができる。
【００２４】
また、ドアへの固定状態において取付ブラケットがドアハンドル背後に覆い隠されるような場合であっても、スイッチユニットを配置することができるために、デザインの自由度が向上する。
【発明を実施するための最良の形態】
【００２５】
以下、本実施の形態に係るドアハンドル装置の一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれている。
【００２６】
（スイッチ固定構造の構成）
本実施の形態に係るスイッチ固定構造の構成について、図１〜図３を参照しながら説明する。図１は、本実施の形態に係るスイッチ固定構造を示す正面図であり、図２は、本実施の形態に係るスイッチ固定構造を示す断面図（図１のＡ〜Ａ断面図）ある。なお、スイッチ固定構造１は、ドアロックの施錠・解錠を電気的に行うものである。
【００２７】
図１及び図２に示すように、スイッチ固定構造１は、車両のドア３（アウタパネル）に車内側へへこむ凹部５の上側に形成されるスイッチ取付孔７に取り付けられる。このスイッチ固定構造１は、ドアハンドル９と、取付ブラケット１１と、スイッチユニット１３とによって大略構成されている。
【００２８】
ドアハンドル９は、車両のドア３の車外側に設けられ、車両のドア３を開閉可能なものである。このドアハンドル９には、後述するスイッチユニット１３を構成するプッシュボタン１９が貫通可能なボタン孔９ａが形成されている。また、ドアハンドル９の車内側（裏面側）には、支持軸１５が挿通する孔であるハンドル軸挿通孔９ｂが形成されている。
【００２９】
取付ブラケット１１は、支持軸１５を介してドアハンドル９を車両のドア３に対して前後方向に揺動可能に支持し、車両のドア３に固定されるものである。この取付ブラケット１１の車外側には、支持軸１５が挿通する孔であるブラケット軸挿通孔１１ａが形成されている。
【００３０】
この取付ブラケット１１は、車両のドア３の裏面側（図２では下側）からボルトやナット等の固定部材１７により車両のドア３に固定される。
【００３１】
スイッチユニット１３は、ドアハンドル９と取付ブラケット１１との間に設けられ、車両のドア３に設けられるドアロックを施錠・解錠させる信号を形成するものである。このスイッチユニット１３は、車外に露出して車外側からの物理的入力を受けて変位するプッシュボタン１９と、該プッシュボタン１９の変位に基づいて電気的信号を形成するスイッチ本体２１とによって構成されている。
【００３２】
プッシュボタン１９は、スイッチ本体２１の略中央から車外側へ向けて突出する内側プッシュボタン１９Ａと、該内側プッシュボタン１９Ａを車外側から覆う外側プッシュボタン１９Ｂとを備えている。
【００３３】
内側プッシュボタン１９Ａは、車外側に向いている入力面１９ａを有している。この内側プッシュボタン１９Ａは、該入力面１９ａが車内方向に物理的な入力を受けると、付勢手段（不図示）の付勢力に抗してスイッチ本体２１に対して車内方向に変位する。この変位によりスイッチ本体２１の内部に設けられる接点が電気的な信号を形成する。
【００３４】
外側プッシュボタン１９Ｂは、ドアハンドル９に形成されるボタン孔９ａを貫通可能に形成されている。この外側プッシュボタン１９Ｂは、シリコンゴムやゴム、樹脂などの弾性変形可能な素材により形成されている。外側プッシュボタン１９Ｂは、湾曲状の押圧操作部１９ｂと、該押圧操作部１９ｂの裏面側から車内方向に向いている伝達面１９ｃとを有している。この伝達面１９ｃは、内側プッシュボタン１９Ａの入力面に当接あるいは近接されている。
【００３５】
スイッチ本体２１には、電気的信号を形成する基板２３と、車両の制御手段（不図示）に接続され、電気的な信号を出力するハーネス２５が設けられている。また、スイッチ本体２１の両側面には、支持軸１５と接する接触部が設けられている。本実施の形態では、接触部は、支持軸１５が嵌合する嵌合溝２７を構成する。
【００３６】
支持軸１５は、ハンドル軸挿通孔９ｂ及びブラケット軸挿通孔１１ａを挿通し、嵌合溝２７（接触部）においてスイッチユニット１３を取付ブラケット１１に固定している。この支持軸１５は、一方の嵌合溝２７に嵌合する第１支持軸１５Ａと、他方の嵌合溝２７に嵌合する第２支持軸１５Ｂとを備えている。
【００３７】
第１支持軸１５Ａ及び第２支持軸１５Ｂは、各嵌合溝２７に嵌合することでスイッチユニット１３を取付ブラケット１１に固定している。なお、支持軸１５は、支持軸１５が抜けることを防止するプッシュナット２９により固定される。
【００３８】
このような構成より、ドアハンドル９を車両のドア３に対して前方向に引っ張られると車両のドアが開閉可能となり、ドアハンドル９を車両のドア３に対して後方向（すなわち、ドアハンドルが自動的に戻る位置）へ移動すると、ドアハンドル９に形成されるボタン孔を貫通するプッシュボタン１９（外側プッシュボタン１９Ｂ）が操作可能となる。
【００３９】
（作用・効果）
以上説明した本実施の形態に係るスイッチ固定構造１によれば、支持軸１５が接触部を介してスイッチユニット１３を取付ブラケット１１に固定することによって、ねじやボルト等の固定部材を用いることなく、スイッチユニット１３を取付ブラケット１１に取り付けることができるため、部品点数を削減することができるとともに、作業の簡略化を実現して作業時間の短縮を図ることができる。
【００４０】
具体的には、支持軸１５が嵌合溝２７に嵌合することでスイッチユニット１３を取付ブラケット１１に固定することによって、確実にスイッチユニット１３を取付ブラケット１１に取り付けることができ、車両のドアに対する前後方向へのドアハンドルの揺動がスムーズになり、ドアハンドル９の操作性を確保することができる。
【００４１】
特に、スイッチ本体２１の両側面側から第１支持軸１５Ａと第２支持軸１５Ｂとが各嵌合溝２７に嵌合することによって、車両のドア３に対して前後方向へのドアハンドル９の揺動がさらにスムーズになり、ドアハンドル９の操作性を向上させることができる。
【００４２】
このようなスイッチ固定構造１は、例えば、軽自動車などの小型自動車における小さいドアハンドル９であっても、装着しやすいため、作業の簡略化を実現して作業時間の短縮を図ることができる。
【００４３】
（変更例１）
上述した実施の形態に係る支持軸１５は、第１支持軸１５Ａと第２支持軸１５Ｂとによって構成されているものとして説明したが、以下のように変更することができる。なお、上述した実施の形態に係る支持軸１５と相違する部分を主として説明する。
【００４４】
図３は、変更例１に係るスイッチ固定構造を示す断面図である。図３に示すように、スイッチ本体２１の一方の側面には、支持軸１５と接する接触部が設けられている。変更例１では、接触部は、支持軸１５が嵌合する嵌合溝２７を構成する。
【００４５】
１本の支持軸１５は、一方の側面に設けられる嵌合溝２７に嵌合する。なお、ドアハンドル９の裏面側には、後述する挿通突起３３が挿通する挿通溝３１が形成されている。また、取付ブラケット１１には、ドアハンドル９を揺動可能に支持しながら挿通溝３１に挿通する挿通突起３３が形成されている。これにより、確実にスイッチユニット１３を取付ブラケット１１に取り付けることができ、車両のドア３に対する前後方向へのドアハンドル９の揺動をスムーズになり、ドアハンドル９の操作性を確保することができる。
【００４６】
（変更例２）
上述した実施の形態に係る接触部は、支持軸１５が嵌合する嵌合溝２７を構成するものとして説明したが、以下のように変更することができる。なお、上述した実施の形態に係る接触部と相違する部分を主として説明する。
【００４７】
図４は、変更例２に係るスイッチ固定構造を示す正面図である。図４に示すように、スイッチ本体２１には、支持軸１５と接する接触部が設けられている。変更例２では、接触部は、スイッチ本体２１における一方の側面から他方の側面に亘って支持軸１５が貫通する貫通孔３５を構成する。この貫通孔３５は、スイッチ本体２１の上側に形成されている。
【００４８】
１本の支持軸１５は、貫通孔３５を貫通することでスイッチユニット１３を取付ブラケット１１に固定する。これにより、確実にスイッチユニット１３を取付ブラケット１１に取り付けることができ、車両のドア３に対して前後方向へのドアハンドル９の揺動がスムーズになり、ドアハンドル９の操作性を確保することができる。
【００４９】
［本発明の適用範囲］
上述したように、本発明の実施の形態を通じて本発明の内容を開示したが、この開示の一部をなす論述及び図面は、本発明を限定するものであると理解すべきではない。
【００５０】
例えば、スイッチ固定構造１は、車両のドア３として、例えば、車両の両サイドに位置するサイドドアのアウタパネルに固定されるものであってもよく、車両後方に位置するバックドア（トランクルームなど）のアウタパネルに固定されるものであっても勿論よい。
【００５１】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【００５２】
［本発明の他の実施の形態］
図５以下に本発明の第２の実施の形態を示す。なお、以下の説明において、上述した実施の形態と実質的に同一の構成要素は、図中に同一符号を付して説明を省略し、さらに、必要に応じ、上述した実施の形態において既出の構成要素の詳細について本実施の形態の説明で追記する。
【００５３】
図５に示すドアハンドル装置は、上述した実施の形態と同様に、ドアハンドル９を取付ブラケット１１に回転自在に連結して形成される。ドアハンドル９は、手掛け部９ｃの裏面から突出する操作アーム９ｄを備え、操作アーム９ｄの自由端近傍にカウンタウエイト４０が固定される。この操作アーム９ｄは、図５（ｂ）、図６（ｃ）に示すように、ドア３への装着状態において、ドア３に開設されたアーム挿通開口３ａからドア３内に挿入される。また、図６（ｃ）に示すように、操作アーム９ｄにはロッドホルダ４１が装着され、ドア３への取付状態において、このロッドホルダ４１に連結される図外のロッド棒を介して操作アーム９ｄとドアロック装置とが連結される。
【００５４】
さらに、ドアハンドル９に開設されるスイッチ露出開口（ボタン孔９ａ）は、図１と同様に、手掛け部の上端縁近傍で、かつ、左右（車長方向）中心位置に配置される。図５において操作アーム９ｄは左右一方に形成されて全体が左右非対称形状となっているが、他方に同一形状の操作アーム９ｄを形成することにより、図１に示すように、固定部材１７を含めて全ての要素が左右対称となるために、ロッドホルダ４１、およびカウンタウエイト４０の取付位置を変更するだけで容易に左右勝手違い仕様のハンドル装置を製造することができる。
【００５５】
以上のドアハンドル９を支持する取付ブラケット１１は、図１、図５（ｂ）に示すように、ドアハンドル９に操作力が付与されない初期位置において、全体がドアハンドル９の背後に隠れる位置、大きさに形成される。この結果、ドア３への取付状態において、ドア３の凹部５にはドアハンドル９のみを露出させる意匠的要求に応えることができる。
【００５６】
一方、スイッチユニット１３は、上記取付ブラケット１１に形成されるスイッチ保持孔４２内に保持され、ドアハンドル９が初期位置にあるときに先端部が上記スイッチ露出開口９ａから露出する。図６、８に示すように、スイッチユニット１３は、スイッチ保持孔４２の背面側開口から挿入されて装着され、スイッチ保持孔４２に形成された内向きフランジ４２ａに当接させることにより正面側への脱落が防止される。
【００５７】
なお、以上の説明においてスイッチユニット１３として押しボタンスイッチを使用する場合を示したが、可動部を有しない、例えば静電センサスイッチを使用することができ、この場合、電極をスイッチ露出開口９ａから露出させればよい。
【００５８】
図２と同様に、ドア３の凹部５に開設されたスイッチ取付孔７は、スイッチユニット１３から引き出されるハーネス２５のドア３内への引き込み孔として使用されるもので（図５（ｂ）参照）、図２、図６（ａ）に示すように、スイッチユニット１３は、左右（車長方向）幅寸法がこのスイッチ取付孔７よりやや大寸に形成される。この結果、スイッチユニット１３は、上記内向きフランジ４２ａにより表面側への脱離が、ドア３により背面側への脱離が各々規制され、所定位置に保持され、同時に、スイッチユニット１３を押下操作した際のぐらつき等も効果的に防止できる。
【００５９】
上述したように、スイッチユニット１３はハンドル装置をドア３に固定した状態で脱離不能状態になるために、ハンドル装置単体状態における取付ブラケット１１への大きな保持強度は要しないと考えられる。
【００６０】
図５以下の実施の形態において、スイッチユニット１３は、この点に着目してスイッチ保持孔４２に挿入された後、スイッチ保持孔４２の背面開口を仮に閉塞することによりドア３への固定作業完了までの間、仮保持される。
【００６１】
図６に示すように、スイッチ保持孔４２の閉塞には、ヒンジ受け部材４３とシート部材４４とから構成され軸止め部材４５が使用される。図７、８に示すように、ヒンジ受け部材４３は金属板材により形成され、ベース部４３ａの左右両端に折り曲げられるヒンジ片４３ｂを備える。ヒンジ片４３ｂは、先端にＵ字状の切欠４３ｃを備え、取付ブラケット１１に形成された受容凹部１１ｂに挿入される。
【００６２】
一方、支持軸１５には、上記切欠４３ｃが嵌合可能な抜け止め用スリット１５ａが形成されており、支持軸１５をドアハンドル９のハンドル軸挿通孔９ｂ、および取付ブラケット１１のブラケット軸挿通孔１１ａに挿通させた状態で上記ヒンジ片４３ｂを受容凹部１１ｂに挿入するだけで、切欠４３ｃが支持軸１５の抜け止め用スリット１５ａに嵌合し、取付ブラケット１１からの脱離が規制される。
【００６３】
シート部材４４は合成樹脂材料を使用して形成されて、ヒンジ受け部材４３とドア３との間に介装され、金属材料により形成されるヒンジ受け部材４３のドア３への直接接触を防止する。このシート部材４４は、嵌合孔４４ａを取付ブラケット１１の嵌合突部１１ｃに圧入することにより取付ブラケットに装着され、装着状態において、ハンドル装置がドア３に固定するまでの間、スイッチユニット１３と、ヒンジ受け部材４３とを仮保持し、脱落を規制する。
【００６４】
なお、以上において、軸止め部材４５は、ヒンジ受け部材４３とシート部材４４との２部品により形成する場合を示したが、全体を一体とした合成樹脂材の射出成型品として形成することもできる。
【００６５】
以上のように構成される取付ブラケット１１は、図１、図５（ｂ）に示すように、ドアハンドル９に操作力が付与されない初期位置において、全体がドアハンドル９の背後に隠れる位置、大きさに形成される。この結果、ドア３への取付状態において、ドア３の凹部５にはドアハンドル９のみを露出させる意匠的要求に応えることができる。
【図面の簡単な説明】
【００６６】
【図１】本実施の形態に係るスイッチ固定構造を示す正面図である。
【図２】本実施の形態に係るスイッチ固定構造を示す断面図（図１のＡ−Ａ断面図）である。
【図３】変更例１に係るスイッチ固定構造を示す断面図である。
【図４】変更例２に係るスイッチ固定構造を示す正面図である。
【図５】本発明の第２の実施の形態を示す図で、（ａ）は正面図、（ｂ）は背面図である。
【図６】図５の断面図で、（ａ）は図５（ａ）の６Ａ-６Ａ線断面図、（ｂ）は図６（ａ）の６Ｂ-６Ｂ線断面図、（ｃ）は図５（ａ）の６Ｃ-６Ｃ線断面図、（ｄ）は図５（ａ）の６Ｄ-６Ｄ線断面図である。
【図７】図５の要部分解図である。
【図８】図７の断面図である。
【符号の説明】
【００６７】
１…スイッチ固定構造、３…車両のドア、５…凹部、７…スイッチ取付孔、９…ドアハンドル、９ａ…ボタン孔、９ｂ…ハンドル軸挿通孔、９ｃ・・・手掛け部、１１…取付ブラケット、１１ａ…ブラケット軸挿通孔、１３…スイッチユニット、１５…支持軸、１５Ａ…第１支持軸、１５Ｂ…第２支持軸、１７…固定部材、１９…プッシュボタン、１９Ａ…内側プッシュボタン、１９Ａ…該内側プッシュボタン、１９Ｂ…外側プッシュボタン、１９ａ…入力面、１９ｂ…押圧操作部、１９ｃ…伝達面、２１…スイッチ本体、２３…基板、２５…ハーネス、２７…嵌合溝、２９…プッシュナット、３１…挿通溝、３３…挿通突起、３５…貫通孔、４２…スイッチ保持孔、４２ａ…内向きフランジ、４５…軸止め部材
【図１】
2008248677.tif 000003
【図２】
2008248677.tif 000004
【図３】
2008248677.tif 000005
【図４】
2008248677.tif 000006
【図５】
2008248677.tif 000007
【図６】
2008248677.tif 000008
【図７】
2008248677.tif 000009
【図８】
2008248677.tif 000010